(57)【要約】      （修正有）【課題】一次的な印刷物を複写することにより得られる二次的な印刷物を適切に再現し、これを容易に確認可能とすることができる画像形成装置を提供する。【解決手段】画像形成装置１は、画像形成部と、原稿画像データに基づいて画像形成部を制御する制御部６０と、画像形成部により画像が形成された用紙Ｐを読み取り、印刷画像データを生成する印刷画像読取部４０と、を有している。ここで、制御部６０は、印刷画像読取部４０から取得した印刷画像データに基づいて画像形成部を制御することにより、印刷画像読取部が読み取った画像を用紙Ｐに形成することとしてる。【選択図】図１
2014143504.tif 000002
【特許請求の範囲】
【請求項１】
用紙に画像を形成する画像形成部と、
原稿画像データに基づいて前記画像形成部を制御する制御部と、
前記画像形成部により画像が形成された用紙を読み取り、印刷画像データを生成する印刷画像読取部と、を有し、
前記制御部は、前記印刷画像読取部から取得した前記印刷画像データに基づいて前記画像形成部を制御することにより、前記印刷画像読取部が読み取った画像を用紙に形成することを特徴とする画像形成装置。
【請求項２】
前記制御部は、前記画像形成部により形成する画像に地紋画像が含まれる場合に、前記印刷画像読取部が読み取った画像を用紙に形成することを特徴とする請求項１に記載された画像形成装置。
【請求項３】
前記制御部は、前記原稿画像データ及び前記印刷画像データのうち、ユーザによって選択される一方の画像データに基づいてサンプル排紙を実行することを特徴とする請求項１又は２に記載された画像形成装置。
【請求項４】
用紙に画像を形成する画像形成部と、
原稿画像データに基づいて前記画像形成部を制御する制御部と、
前記画像形成部により画像が形成された用紙を読み取り、印刷画像データを生成する印刷画像読取部と、を有し、
前記制御部は、前記印刷画像読取部から取得した前記印刷画像データを、前記画像形成部により画像が形成された用紙を複写することにより得られる画像として、前記原稿画像データと関連付けて保存することを特徴とする画像形成装置。
【請求項５】
前記制御部は、前記画像形成部により形成する画像に地紋画像が含まれる場合に、前記印刷画像データを前記原稿画像データに関連付けて保存する請求項４に記載された画像形成装置。
【発明の詳細な説明】
【技術分野】
【０００１】
本発明は、画像形成装置に関する。
【背景技術】
【０００２】
従来より、プリンタ、複写機などとして電子写真方式の画像形成装置が知られている。画像形成装置は、原稿となる画像データに応じて用紙に画像を形成し、当該用紙を印刷物として出力する。ところで、この類の画像形成装置を使用する場合に、出力された一次的な印刷物を複写することにより得られる二次的な印刷物の仕上り状態を確認したいといった要望が存在する。例えば、画像形成装置は、印刷物の複写を抑制・禁止する観点から、原稿画像に、複写時に顕在化される模様（潜像画像）を含む地紋画像を合成することで、地紋画像付きの印刷物を出力する機能を備えている。このような場合には、二次的な印刷物において潜像画像がどのような態様で顕在化されるのかを確認したいことから、上記のような要求がある。
【０００３】
例えば特許文献１には、次の機能を備える画像形成装置が開示されている。具体的には、画像形成装置は、潜像画像が可視化された可視化地紋画像データを生成し、生成した可視化地紋画像データとジョブの画像データの先頭ページとを合成して可視化地紋合成画像データを生成する。そして、画像形成装置は、生成された可視化地紋合成画像データに基づき潜像画像が可視化された可視化地紋合成画像を用紙上に形成し出力する。
【０００４】
また、例えば特許文献２には、次の機能を備える画像形成装置が開示されている。具体的には、画像形成装置は、ユーザインタフェース手段を介して入力されたイメージを用いて地紋画像を生成する地紋生成手段と、地紋生成手段により生成された地紋画像を含むプレビュー画像を生成するプレビュー画像生成手段と、プレビュー画像生成手段により生成されたプレビュー画像を表示する表示手段と、を備えている。
【先行技術文献】
【特許文献】
【０００５】
【特許文献１】特開２００８−１８６１４６号公報
【特許文献２】特開２００５−１１５８７４号公報
【発明の概要】
【発明が解決しようとする課題】
【０００６】
しかしながら、特許文献１又は特許文献２に開示された手法によれば、原稿となる画像データを元に二次的な印刷物を再現していることから、実際に複写及び画像形成プロセスを経て出力される二次的な印刷物とは異なってしまうことがある。例えば、トナー不良やエンジントラブルにより意図した色合いや濃度で画像形成が行われない場合には、このようなことが起こりえる。
【０００７】
本発明はかかる事情に鑑みてなされたものであり、その目的は、一次的な印刷物を複写することにより得られる二次的な印刷物を適切に再現し、これを容易に確認可能とすることである。
【課題を解決するための手段】
【０００８】
かかる課題を解決するために、第１の発明は、用紙に画像を形成する画像形成部と、原稿画像データに基づいて画像形成部を制御する制御部と、画像形成部により画像が形成された用紙を読み取り、印刷画像データを生成する印刷画像読取部と、を有する。ここで、制御部は、印刷画像読取部から取得した印刷画像データに基づいて画像形成部を制御することにより、印刷画像読取部が読み取った画像を用紙に形成する。
【０００９】
また、第１の発明において、制御部は、画像形成部により形成する画像に地紋画像が含まれる場合に、印刷画像読取部が読み取った画像を用紙に形成することが好ましい。
【００１０】
また、第１の発明において、制御部は、原稿画像データ及び印刷画像データのうち、ユーザによって選択される一方の画像データに基づいてサンプル排紙を実行することが好ましい。
【００１１】
また、第２の発明は、用紙に画像を形成する画像形成部と、原稿画像データに基づいて画像形成部を制御する制御部と、画像形成部により画像が形成された用紙を読み取り、印刷画像データを生成する印刷画像読取部と、を有する。この場合、制御部は、印刷画像読取部から取得した印刷画像データを、画像形成部により画像が形成された用紙を複写することにより得られる画像として、原稿画像データと関連付けて保存する。
【００１２】
ここで、第２の発明において、制御部は、画像形成部により形成する画像に地紋画像が含まれる場合に、印刷画像データを原稿画像データに関連付けて保存することが好ましい。
【発明の効果】
【００１３】
本発明によれば、ユーザが一次的な印刷物を複写するといった実際の手間を要することなく、印刷画像データに基づいて二次的な印刷物の仕上がり状態を容易にチェックすることができる。また、二次的な印刷物を、原稿画像データを使って再現する場合には、トナー不良やエンジントラブルにより意図した色味や濃度で印刷されないといった事態が想定される。この点、本発明によれば、一次的な印刷物を直接的に読み取った印刷画像データに基づいて二次的な印刷物を再現することができるので、再現性の向上を図ることができる。
【図面の簡単な説明】
【００１４】
【図１】第１の実施形態にかかる画像形成装置を模式的に示す構成図
【図２】第１の実施形態にかかる画像形成装置の動作手順を示すフローチャート
【図３】第２の実施形態に係る画像形成装置の動作手順を示すフローチャート
【図４】第３の実施形態に係る画像形成装置の動作手順を示すフローチャート
【図５】操作表示部による表示画面の一例を示す説明図
【図６】印刷画像の表示処理の手順を示すフローチャート
【発明を実施するための形態】
【００１５】
（第１の実施形態）
図１は、第１の実施形態にかかる画像形成装置１を模式的に示す構成図である。画像形成装置１は、例えば電子写真方式の画像形成装置であり、複数の感光体を一本の中間転写ベルトに対面させて縦方向に配列することによりフルカラーの画像を形成する、いわゆる、タンデム型カラー画像形成装置である。
【００１６】
画像形成装置１は、図示しない原稿読取装置、露光部１５Ｙ，１５Ｍ，１５Ｃ，１５Ｋ、帯電・現像ユニット２０Ｙ，２０Ｍ，２０Ｃ，２０Ｋ、中間転写ベルト２３、二次転写ローラー２４、定着装置３０、印刷画像読取部４０及び制御部６０とを主体に構成され、これらが一つの筐体内に収められている。
【００１７】
原稿読取装置は、装置の上部に備えられた自動原稿送り装置（図示せず）を有し、自動原稿送り装置によって搬送される原稿を読み取ることで、画像信号を得る。画像信号は、画像読取制御部（図示せず）に出力される。画像読取制御部は、画像信号に対して、Ａ／Ｄ変換、シェーディング補正、圧縮等の処理を施して原稿画像データを生成し、当該原稿画像データを制御部６０に出力する。なお、制御部６０に入力される原稿画像データとしては、原稿読取装置で読み取ったものに限らず、例えば、画像形成装置に接続されたパーソナルコンピュータや他の画像形成装置から受信したものであってもよい。
【００１８】
個々の露光部１５Ｙ，１５Ｍ，１５Ｃ，１５Ｋは、レーザ光源、ポリゴンミラー、複数のレンズ等から構成される。各露光部１５Ｙ，１５Ｍ，１５Ｃ，１５Ｋは、原稿画像データをもとに制御部６０から出力される出力情報に対応して、後述する感光体ドラム２１Ｙ，２１Ｍ，２１Ｃ，２１Ｋの表面をレーザビームにより走査露光する。
【００１９】
帯電・現像ユニット２０Ｙは、感光体ドラム２１Ｙと、その周辺に配置されている帯電・現像部２２Ｙを主体に構成されており、イエローに対応する画像を感光体ドラム２１Ｙ上に形成する。また、残余の帯電・現像ユニット２０Ｍ，２０Ｃ，２０Ｋも、帯電・現像ユニット２０Ｙと同様な構成であり、感光体ドラム２１Ｍ，２１Ｃ，２１Ｋの周辺に、帯電・現像部２２Ｍ，２２Ｃ，２２Ｋがそれぞれ配置されており、マゼンダ、シアン、ブラックに対応する画像を感光体ドラム２１Ｍ，２１Ｃ，２１Ｋ上にそれぞれ形成する。
【００２０】
各感光体ドラム２１Ｙ，２１Ｍ，２１Ｃ，２１Ｋは、帯電・現像部２２Ｙ，２２，２２Ｃ，２２Ｋによりその表面が一様に帯電させられており、上述した露光部１５Ｙ，１５Ｍ，１５Ｃ，１５Ｋによる走査露光により、個々の感光体ドラム２１Ｙ，２１Ｍ，２１Ｃ，２１Ｋには潜像が形成される。さらに、帯電・現像部２２Ｙ，２２Ｍ，２２Ｃ，２２Ｋは、トナーで現像することによって感光体ドラム２１Ｙ，２１Ｍ，２１Ｃ，２１Ｋ上の潜像を顕像化する。これにより、各感光体ドラム２１Ｙ，２１Ｍ，２１Ｃ，２１Ｋ上には画像（トナー画像）が形成される。個々の感光体ドラム２１Ｙ，２１Ｍ，２１Ｃ，２１Ｋ上に形成された画像は、中間転写ベルト２３上の所定位置に逐次転写され、これにより、各色の画像が重ね合わせられた画像が形成される。
【００２１】
中間転写ベルト２３上に転写された画像は、用紙Ｐが所定のタイミングで搬送されることにより、二次転写ローラー２４により用紙Ｐに転写される。
【００２２】
給紙部５０は、一つ以上の給紙トレイ５１から構成されており、各給紙トレイ５１には用紙Ｐが収容されている。この給紙部５０は、ユーザによって選択された用紙Ｐを給紙トレイ５１から一枚ずつ給紙する。給紙トレイ５１から給紙された用紙Ｐは、搬送ローラーにより機内を搬送されることにより、二次転写ローラー２４により用紙Ｐに画像が転写される転写位置へと供給され、その後、定着装置３０へと供給される。
【００２３】
定着装置３０は、未定着な状態の画像を用紙Ｐに定着させる装置であり、互いに圧接された一対の定着部材と、当該定着部材の一方又は双方を加熱する加熱手段とで構成されている。この定着装置３０は、用紙Ｐの搬送過程において、一対の定着部材のニップ部に用紙Ｐを通過させることにより、当該ニップ部による加圧と定着部材の有する熱との作用を通じて、画像を用紙Ｐに定着させる。定着処理がなされた用紙Ｐは、搬送方向の下流側へと搬送される。
【００２４】
ここで、上述した各要素、すなわち、露光部１５Ｙ，１５Ｍ，１５Ｃ，１５Ｋ、帯電・現像ユニット２０Ｙ，２１Ｍ，２１Ｃ，２１Ｋ、中間転写ベルト２３、二次転写ローラー２４及び定着装置３０は、画像形成部を構成する。画像形成部は、例えば（１）画像を形成する、（２）形成された画像を用紙Ｐに転写する、（３）転写された画像を用紙Ｐに定着させる、という一連のプロセスを通じて、原稿画像データに対応する画像（原稿に相当する画像）を用紙Ｐに形成する。
【００２５】
印刷画像読取部４０は、画像形成部により画像が形成された用紙Ｐを読み取るものである。印刷画像読取部４０は、用紙Ｐの搬送経路上に設けられており、本実施形態では、用紙搬送方向において定着装置３０よりも下流側に配置される。印刷画像読取部４０は、例えば、１画素毎に光電変換する複数の撮像素子を、用紙搬送方向と直交する方向（用紙幅方向）に一次元状に並べて配置させたラインセンサで構成される。このラインセンサは、用紙幅方向の１ライン単位で用紙Ｐを読み取る、すなわち、画像形成部により形成された画像（印刷画像）を読み取ることができる。印刷画像読取部４０は、画像形成部により画像が形成された用紙Ｐ（印刷物）を対象として読取動作を行うことにより、用紙Ｐの片面（１ページ相当）の画像データを印刷画像データとして生成する。生成された印刷画像データは、制御部６０に出力される。
【００２６】
印刷画像読取部４０を通過した用紙Ｐは、排紙ローラー５５により、装置筐体の外部側面に取り付けられた用紙トレイ（図示せず）に排出される。また、用紙Ｐの裏面にも画像形成を行う場合、ガイド部材（図示せず）により、用紙表面に対する画像形成を終えた用紙Ｐを下方にある反転ローラー５６に搬送する。反転ローラー５６は、搬送された用紙Ｐの後端を挟持した後、逆送することによって用紙Ｐを反転させて、再給紙搬送路５７に送り出す。この再給紙搬送路５７により、表裏が反転された用紙Ｐが、中間転写ベルト２３と二次転写ローラー２４とのニップ部に相当する転写位置へと再度搬送される。
【００２７】
制御部６０は、画像形成装置１を統合的に制御する機能を担っている。例えば、制御部６０は、ＣＰＵ、ＲＯＭやＲＡＭなどのメモリ、補助記憶装置としてのＨＤＤ（Hard Disk Drive）又は不揮発性メモリ、通信Ｉ／Ｆ部などを備えるコンピューターであり、これらの要素はバスを介して相互に接続されている。
【００２８】
制御部６０は、原稿読取装置、露光部１５Ｙ，１５Ｍ，１５Ｃ，１５Ｋ、帯電・現像ユニット２０Ｙ，２０Ｍ，２０Ｃ，２０Ｋ、中間転写ベルト２３、二次転写ローラー２４、定着装置３０などを制御することにより、用紙Ｐに画像を形成する。また、制御部６０は、印刷ジョブに基づいて用紙Ｐに画像を形成する。印刷ジョブには、一連のページの原稿画像データと、設定情報とから構成されている。設定情報は、例えば、出力部数、片面・両面の出力モード、用紙Ｐの種類（例えば坪量やサイズ）、画像の濃度や倍率、地紋印刷の有無などで構成されている。
【００２９】
地紋印刷は、原稿に相当する画像に地紋画像を合成した画像を用紙Ｐに形成して出力するものである。地紋画像は、潜像画像と背景画像とで構成されている。潜像画像は、「複写禁止」「コピー」等、複写によって顕在化される文字列やマークといった模様に対応した画像である。背景画像は、一次的な印刷物において潜像画像を見えづらくするための画像である。例えば、潜像画像は背景画像よりも大きなドットで構成されている。この場合、地紋画像が形成された用紙Ｐを複写すると、その複写における読み取りにおいて、読み取り限界以下のドットで構成される背景画像が消去される。このため、潜像画像のみが複写されることとなり、二次的な印刷物において、潜像画像が顕在化される。潜像画像及び背景画像に対応する画像データは、制御部６０の所定の記憶領域に格納されている。
【００３０】
制御部６０は、設定情報において地紋印刷が無しに設定されている場合には、原稿画像データに基づいて画像形成部を制御し、これにより、原稿に相当する画像を用紙Ｐに形成する。一方、制御部６０は、設定情報において地紋印刷が有りに設定されている場合には、原稿画像データに地紋画像データを合成して、合成後の原稿画像データに基づいて画像形成部を制御する。これにより、合成後の原稿画像データに対応した画像、すなわち、原稿に相当する画像に地紋画像が合成された画像が用紙Ｐに形成される。
【００３１】
また、本実施形態において、制御部６０は、印刷物の出力に対応して、印刷画像読取部４０から印刷画像データを取得する。そして、制御部６０は、印刷画像データに基づいて画像形成部を制御することにより、印刷画像読取部４０が読み取った印刷画像を用紙Ｐに形成する。印刷画像データの取得又は取得した印刷画像データに基づく画像形成は、画像形成部から印刷物が出力される度に実行してもよいが、本実施形態では、画像形成部により形成される画像に地紋画像が含まれる場合に実行することとする。
【００３２】
操作表示部７０は、例えば、画面上に表示される情報に従い、入力操作を行うことが可能なタッチパネルである。操作表示部７０は、ユーザの入力操作を通じて、各種の情報（例えば設定情報）を制御部６０に出力する。また、操作表示部は、制御部６０に制御されることにより所望の情報を表示し、これにより、ユーザに所定の情報を提示する。
【００３３】
図２は、本実施形態に係る画像形成装置１の動作手順を示すフローチャートである。このフローチャートに示す処理は、所定のタイミングで呼び出され、用紙Ｐの片面に対する印刷に対応して実行される。
【００３４】
まず、ステップ１０（Ｓ１０）において、制御部６０は、原稿画像データに基づいて画像形成部を制御することにより、原稿に相当する画像を用紙Ｐに形成する。
【００３５】
ステップ１１（Ｓ１１）において、制御部６０は、設定情報において地紋印刷が有りに設定されているか否かを判断する。このステップ１１において肯定判定された場合、すなわち、地紋印刷が有りに設定されている場合には、ステップ１２（Ｓ１２）に進む。一方、ステップ１１において否定判定された場合、すなわち、地紋印刷が無しに設定されている場合には、本処理を終了する。
【００３６】
ステップ１２において、印刷画像読取部４０は、画像形成部により画像が形成された用紙Ｐ、すなわち、当該用紙Ｐに形成された印刷画像を読み取る。これにより、印刷画像データが生成され、当該印刷画像データが制御部６０に出力される。
【００３７】
ステップ１３において、制御部６０は、印刷画像データに基づいて画像形成部を制御することにより、当該印刷画像データに対応する画像を用紙Ｐに形成する。
【００３８】
このように本実施形態において、画像形成装置１は、画像形成部と、原稿画像データに基づいて画像形成部を制御する制御部６０と、画像形成部により画像が形成された用紙Ｐを読み取り、印刷画像データを生成する印刷画像読取部４０と、を有している。ここで、制御部６０は、印刷画像読取部４０から取得した印刷画像データに基づいて画像形成部を制御することにより、印刷画像読取部が読み取った画像を用紙Ｐに形成することとしている。
【００３９】
かかる構成によれば、一次的な印刷物を複写することにより得られる二次的な印刷物を、印刷画像データに基づいて出力することができる。これにより、ユーザが一次的な印刷物を複写するといった実際の手間を要することなく、二次的な印刷物の仕上がり状態を容易にチェックすることができる。また、二次的な印刷物を、原稿画像データを使って再現する場合には、トナー不良やエンジントラブルにより意図した色味や濃度で印刷されないといった事態が想定される。この点、本実施形態によれば、一次的な印刷物を直接的に読み取った印刷画像データに基づいて二次的な印刷物を再現しているので、再現性の向上を図ることができる。
【００４０】
また、本実施形態によれば、画像形成部により形成する画像に地紋画像が含まれる場合に、印刷画像読取部４０が読み取った画像を用紙Ｐに形成することとしている。一次的な印刷物の複写態様を要求するようなシーンとしては、地紋画像がどのように浮かび上がるのかといったようなことが想定される。そこで、画像形成部により形成する画像に地紋画像が含まれる場合に限定することで、処理負荷の増大、生産性の低下、不要な用紙Ｐの消費といった不都合を解消することができる。
【００４１】
（第２の実施形態）
以下、第２の実施形態に係る画像形成装置について説明する。第２の実施形態に係る画像形成装置が、第１の実施形態のそれと相違する点は、サンプル排紙の有無を選択することができる点である。なお、第１の実施形態と重複する点については説明を省略することとし、以下、相違点を中心に説明を行う。
【００４２】
ここで、サンプル排紙とは、通常の画像形成を実行している途中に、所定の画像を形成した用紙Ｐをサンプルとして排紙する処理である。本実施形態において、サンプル排紙における画像形成では、原稿画像データ及び印刷画像データのいずれかが選択される。サンプル排紙の有無、また、サンプル排紙において使用する画像データは、印刷ジョブに係る設定情報から設定することができ、この設定情報は、操作表示部７０を介してユーザが設定することができる。
【００４３】
図３は、第２の実施形態に係る画像形成装置１の動作手順を示すフローチャートである。このフローチャートに示す処理は、所定のタイミングで呼び出され、用紙Ｐの片面に対する印刷に対応して実行される。
【００４４】
まず、ステップ２０（Ｓ２０）において、制御部６０は、原稿画像データに基づいて画像形成部を制御することにより、当該原稿画像データに対応する画像を用紙Ｐに形成する。
【００４５】
ステップ２１（Ｓ２１）において、制御部６０は、設定情報においてサンプル排紙が有りに設定されているか否かを判断する。このステップ２１において肯定判定された場合、すなわち、サンプル排紙が有りに設定されている場合には、ステップ２２（Ｓ２２）に進む。一方、ステップ２１において否定判定された場合、すなわち、サンプル排紙が無しに設定されている場合には、本処理を終了する。
【００４６】
ステップ２２において、印刷画像読取部４０は、画像形成部により画像が形成された用紙Ｐ、すなわち、当該用紙Ｐに形成された印刷画像を読み取る。これにより、印刷画像データが生成され、当該印刷画像データが制御部６０に出力される。
【００４７】
ステップ２３（Ｓ２３）において、制御部６０は、設定情報に基づいて、サンプル排紙を印刷画像データで行うか否かを判断する。このステップ２３において肯定判定された場合、すなわち、サンプル排紙を印刷画像データで行う場合には、ステップ２４（Ｓ２４）に進む。一方、ステップ２３において否定判定された場合、すなわち、サンプル排紙を原稿画像データで行う場合には、ステップ２５（Ｓ２５）に進む。
【００４８】
ステップ２４（Ｓ２４）において、制御部６０は、印刷画像データに基づいて画像形成部を制御することにより、当該印刷画像データに対応する画像を用紙Ｐに形成する。これにより、サンプル排紙が実行される。
【００４９】
一方、ステップ２５（Ｓ２５）において、制御部６０は、原稿画像データに基づいて画像形成部を制御することにより、当該原稿に相当する画像を用紙Ｐに形成する。これにより、サンプル排紙が実行される。
【００５０】
このように本実施形態において、制御部６０は、ユーザによって選択される原稿画像データ及び印刷画像データのうちの一方の画像データに基づいて、サンプル排紙を実行する。
【００５１】
かかる構成によれば、サンプル排紙において、印刷画像データを選択することで、二次的な印刷物の態様を容易に把握することができる。
【００５２】
（第３の実施形態）
以下、第３の実施形態に係る画像形成装置について説明する。第３の実施形態に係る画像形成装置が、第１の実施形態のそれと相違する点は、印刷画像データを画像形成に供することなく別の形態で利用することである。なお、第１の実施形態と重複する点については説明を省略することとし、以下、相違点を中心に説明を行う。
【００５３】
本実施形態において、印刷ジョブに係る設定情報には、確認モードの有無が含まれている。確認モードは、二次的な印刷物を出力することなく、印刷画像データを操作表示部７０に表示することにより当該印刷物の状態を確認するモードである。この設定情報は、操作表示部７０を介してユーザが設定することができる。
【００５４】
図４は、第３の実施形態に係る画像形成装置１の動作手順を示すフローチャートである。このフローチャートに示す処理は、所定のタイミングで呼び出され、用紙Ｐの片面に対応する印刷に対応して実行される。
【００５５】
まず、ステップ３０（Ｓ３０）において、制御部６０は、原稿画像データに基づいて画像形成部を制御することにより、当該原稿に相当する画像を用紙Ｐに形成する。
【００５６】
ステップ３１（Ｓ３１）において、制御部６０は、印刷情報において確認モードが有りに設定されているか否かを判断する。このステップ３１において肯定判定された場合、すなわち、確認モードが有りに設定されている場合には、ステップ３２（Ｓ３２）に進む。一方、ステップ３１において否定判定された場合、すなわち、確認モードが無しに設定されている場合には、本処理を終了する。
【００５７】
ステップ３２において、印刷画像読取部４０は、画像形成部により画像が形成された用紙Ｐ、すなわち、当該用紙Ｐに形成された印刷画像を読み取る。これにより、印刷画像データが生成され、当該印刷画像データが制御部６０に出力される。
【００５８】
ステップ３３（Ｓ３３）において、制御部６０は、画像形式の変換など各種の画像処理を行うことにより、印刷画像データを、印刷画像を操作表示部７０に表示するための表示用画像データに変換する。この印刷画像に係る表示用画像データは、その画像としての内容は同じであり、広義において印刷画像データを見なせるものである。
【００５９】
ステップ３４（Ｓ３４）において、制御部６０は、印刷物を複写することにより得られる画像として、印刷画像に係る表示用画像データを原稿画像データと関連付けて保存領域に保存する。
【００６０】
図５は、操作表示部７０による表示画面の一例を示す説明図であり、図６は、印刷画像の表示処理の手順を示すフローチャートである。このフローチャートに示す処理は、ユーザによる操作入力を通じて、操作表示部７０から確認モードで保存した画像を表示する旨の指示を取得したことをトリガーとして実行される。
【００６１】
まず、ステップ４０（Ｓ４０）において、制御部６０は、表示を行う印刷ジョブの選択をユーザに促す。例えば、制御部６０は、図５に示すように、確認モードの設定がされた印刷ジョブの一覧を示す画面を操作表示部７０に表示させる。また、この画面を通じて、表示を行う画像を、原稿に相当する画像（原稿画像）とするのか、それとも印刷画像を複写した画像（孫コピー画像）とするのかを、ユーザに選択させることができるようになっている。
【００６２】
ステップ４１（Ｓ４１）において、制御部６０は、原稿画像について表示を行うか否かを判断する。このステップ４１において肯定判定された場合、すなわち、原稿画像についての表示を行う場合には、ステップ４４（Ｓ４４）に進む。一方、ステップ４１において否定判定された場合、すなわち、孫コピー画像について画像表示を行う場合には、ステップ４２（Ｓ４２）に進む。
【００６３】
ステップ４４において、制御部６０は、原稿画像データを操作表示部７０の所定の表示エリアに表示する。
【００６４】
ステップ４２において、制御部６０は、ユーザによって選択された印刷ジョブに地紋印刷の設定があるか否かを判断する。このステップ４２において肯定判定された場合、すなわち、地紋印刷の設定がある場合には、ステップ４３（Ｓ４３）に進む。一方、ステップ４２において否定判定された場合、すなわち、地紋印刷の設定がない場合には、ステップ４５（Ｓ４５）に進む。
【００６５】
ステップ４３において、制御部６０は、選択された印刷ジョブに係る原稿画像データに関連付けられた表示画像用データを、操作表示部７０の所定の表示エリアに表示する。この場合、制御部６０は、地紋画像を明示的に浮き出させた画像である旨を併せて表示する。
【００６６】
ステップ４５において、制御部６０は、当該原稿画像データに関連付けられた表示画像用データを、操作表示部７０の所定の表示エリアに表示する。
【００６７】
このように本実施形態によれば、画像形成装置１は、画像形成部と、原稿画像データに基づいて画像形成部を制御する制御部と、画像形成部により画像が形成された用紙Ｐを読み取り、印刷画像データを生成する印刷画像読取部４０と、を有する。ここで、制御部６０は、印刷画像読取部４０から取得した印刷画像データを、印刷物を複写することにより得られる画像として、原稿画像データと関連付けて保存する。
【００６８】
かかる構成によれば、一次的な印刷物を複写することにより得られる二次的な印刷物、印刷画像データ（具体的には、表示画像用データ））に基づいて表示させることができる。これにより、ユーザが一次的な印刷物を複写するといった実際の手間を要することなく、二次的な印刷物を容易にチェックすることができる。また、原稿画像データと関連付けられているので、必要な印刷画像データを容易に検索することができる。また、かかる手法によれば、一次的な印刷物を直接的に読み取った印刷画像データに基づいて二次的な印刷物を再現しているので、再現性の向上を図ることができる。
【００６９】
なお、本実施形態において、画像形成部により形成する画像に地紋画像が含まれる場合に、印刷画像データを原稿画像データに関連付けて保存するとしてもよい。一次的な印刷物の複写態様を要求するようなシーンとしては、地紋画像がどのように浮かび上がるのかといったようなことが想定される。そこで、画像形成部により形成する画像に地紋画像が含まれる場合に限定することで、処理負荷の増大、多大な保存領域の確保といった不都合を解消することができる。
【００７０】
以上、本発明の実施形態にかかる画像形成装置について説明したが、本発明は上述した実施形態に限定されることなく、その発明の範囲内において種々の変形が可能であることはいうまでもない。例えば、本実施形態によれば、画像形成装置内に画像読取部を備えるものであったが、専用の読取装置を画像形成装置の後段に配置して、印刷物の読み取り及びデータの保存に係る処理を当該読取装置にて行ってもよく、このような画像形成システムであっても本発明の一部として機能する。
【符号の説明】
【００７１】
１    画像形成装置
１５Ｙ〜１５Ｋ  露光部
２０Ｙ〜２０Ｋ  帯電・現像ユニット
２１Ｙ〜２１Ｋ  感光体ドラム
２２Ｙ〜２２Ｋ  帯電・現像部
２３    中間転写ベルト
２４    二次転写ローラー
３０    定着装置
４０    印刷画像読取部
５０    給紙部
５１    給紙トレイ
５５    排紙ローラー
５６    反転ローラー
５７    再給紙搬送路
６０    制御部
７０    操作表示部
【図１】
2014143504.tif 000003
【図２】
2014143504.tif 000004
【図３】
2014143504.tif 000005
【図４】
2014143504.tif 000006
【図５】
2014143504.tif 000007
【図６】
2014143504.tif 000008